(57)【特許請求の範囲】
【請求項１】
被検体からの磁気共鳴信号を受信する受信コイル部を有するコイル装置であって、
前記受信コイル部は、
コイルエレメントと、
ＲＦパルスを送信する送信コイルと前記受信コイル部とのカップリングを低減するためのデカップリング回路と、
前記送信コイルがＲＦパルスを送信したときに前記コイルエレメントに流れる誘導電流を整流する整流回路と、
前記整流回路により得られた整流電流から高周波成分を除去するフィルタ回路と、
高周波成分が除去された前記整流電流を電力として蓄電する蓄電部と、
を有する、コイル装置。
【請求項２】
前記整流回路は、
前記誘導電流から正の整流電流を得る第１の整流回路部と、
前記誘導電流から負の整流電流を得る第２の整流回路部と、
を有する、請求項１に記載のコイル装置。
【請求項３】
前記フィルタ回路は、
前記第１の整流回路部により得られた正の整流電流から高周波成分を除去する第１のフィルタ回路部と、
前記第２の整流回路部により得られた負の整流電流から高周波成分を除去する第２のフィルタ回路部と、
を有する、請求項２に記載のコイル装置。
【請求項４】
前記蓄電部は、
前記第１のフィルタ回路部により高周波成分が除去された正の整流電流を電力として蓄電する第１の蓄電用キャパシタと、
前記第２のフィルタ回路部により高周波成分が除去された負の整流電流を電力として蓄電する第２の蓄電用キャパシタと、
を有する、請求項３に記載のコイル装置。
【請求項５】
前記第１のフィルタ回路部は、
前記正の整流電流から高周波成分を除去する第１の高周波除去フィルタと、
高周波成分が除去された前記正の整流電流から低周波成分を取り出す第１のローパスフィルタと、を有し、
前記第２のフィルタ回路部は、
前記負の整流電流から高周波成分を除去する第２の高周波除去フィルタと、
高周波成分が除去された前記負の整流電流から低周波成分を取り出す第２のローパスフィルタと、を有する、請求項３又は４に記載のコイル装置。
【請求項６】
請求項１〜５のうちのいずれか一項に記載のコイル装置と、
ＲＦパルスを送信する送信コイルと、
前記コイル装置で受信された磁気共鳴信号を信号処理するための受信器と、
を有する磁気共鳴イメージング装置。
【請求項７】
前記コイル装置は、
前記送信コイルと前記コイル装置の受信コイル部とのカップリングを低減するための第１のデカップリング回路と、
前記送信コイルと前記コイル装置の受信コイル部とのカップリングを低減するための第２のデカップリング回路と、
を有し、
前記第２のデカップリング回路は、
前記被検体からの磁気共鳴信号を前記受信器に出力するための出力部の機能を有する、請求項６に記載の磁気共鳴イメージング装置。
【発明の詳細な説明】
【技術分野】
【０００１】
本発明は、被検体からの磁気共鳴信号を受信するコイル装置および磁気共鳴イメージング装置に関する。
【背景技術】
【０００２】
従来より、電力を蓄電するバッテリを備えた磁気共鳴イメージング装置が知られている（特許文献１参照）。
【先行技術文献】
【特許文献】
【０００３】
【特許文献１】特開2008-104760号公報
【発明の概要】
【発明が解決しようとする課題】
【０００４】
特許文献１では、電源ケーブルからバッテリチャージャに電力を供給し、バッテリの充電を行っている。しかし、スキャンルームで作業する作業者にとっては、ケーブルの本数が少ない方が望ましいので、電源ケーブルを使用しなくても充電が可能なシステムを実現することが望まれている。
【課題を解決するための手段】
【０００５】
本発明の第１の態様は、被検体からの磁気共鳴信号を受信する受信コイル部を有するコイル装置であって、
前記受信コイル部は、
コイルエレメントと、
ＲＦパルスを送信する送信コイルと前記受信コイル部とのカップリングを低減するためのデカップリング回路と、
前記送信コイルがＲＦパルスを送信したときに前記コイルエレメントに流れる誘導電流を整流する整流回路と、
前記整流回路により得られた整流電流から高周波成分を除去するフィルタ回路と、
高周波成分が除去された前記整流電流を電力として蓄電する蓄電部と、
を有する、コイル装置である。
【０００６】
本発明の第２の態様は、
本発明の第１の態様のコイル装置と、
ＲＦパルスを送信する送信コイルと、
前記コイル装置で受信された磁気共鳴信号を信号処理するための受信器と、
を有する磁気共鳴イメージング装置である。
【発明の効果】
【０００７】
ケーブルを使用しなくても蓄電部に電力を蓄えることができる。
【図面の簡単な説明】
【０００８】
【図１】本発明の第１の形態のコイル装置を備えた磁気共鳴イメージング装置の概略図である。
【図２】コイル装置４の概略図である。
【図３】受信コイル部４１のブロック図である。
【図４】受信コイル部４１の動作の説明図である。
【図５】受信コイル部４１の回路図の一例を示す図である。
【図６】蓄電用キャパシタＣ７に電力を蓄電するときの受信コイルの動作の説明図である。
【図７】蓄電用キャパシタＣ８に電力を蓄電するときの受信コイルの動作の説明図である。
【図８】被検体１２から磁気共鳴信号１２ａを受信するときの受信コイル部４１の動作の説明図である。
【図９】図５とは別の回路構成の受信コイル部を示す図である。
【図１０】第２の形態における受信コイル部４１のブロック図を示す。
【発明を実施するための形態】
【０００９】
以下、発明を実施するための形態について説明するが、本発明は、以下の形態に限定されることはない。
【００１０】
（１）第１の形態
図１は、本発明の第１の形態のコイル装置を備えた磁気共鳴イメージング装置の概略図である。
【００１１】
磁気共鳴イメージング装置（ＭＲＩ装置  ＭＲＩ：Magnetic Resonance Imaging）１００は、磁場発生装置２、テーブル３、コイル装置４などを有している。
【００１２】
磁場発生装置２は、被検体１２が収容されるボア２１と、超伝導コイル２２と、勾配コイル２３と、送信コイル２４とを有している。超伝導コイル２２は静磁場Ｂ0を印加し、勾配コイル２３は、勾配磁場を印加する。また、送信コイル２４はＲＦパルス２４ａを送信する。尚、超伝導コイル２２の代わりに、永久磁石を用いてもよい。
【００１３】
テーブル３は、被検体１２を支持するためのクレードル３１を有している。クレードル３１は、ボア２１に移動できるように構成されている。クレードル３１によって、被検体１２はボア２１に搬送される。
【００１４】
コイル装置４は、被検体１２の胸部から腹部に渡って取り付けられている。コイル装置４は、被検体１２から発生した磁気共鳴信号１２ａを受信する。尚、コイル装置４の構成については、後で詳しく述べる。
【００１５】
ＭＲＩ装置１００は、更に、シーケンサ５、送信器６、勾配磁場電源７、受信器８、中央処理装置９、入力装置１０、および表示装置１１を有している。
【００１６】
シーケンサ５は、中央処理装置９の制御を受けて、パルスシーケンスを実行するための情報を送信器６および勾配磁場電源７に送る。具体的には、シーケンサ５は、中央処理装置９の制御を受けて、ＲＦパルスの情報（中心周波数、バンド幅など）を送信器６に送り、勾配磁場の情報（勾配磁場の強度など）を勾配磁場電源７に送る。
【００１７】
送信器６は、シーケンサ５から送られた情報に基づいて、ＲＦコイル２４を駆動する駆動信号を出力する。
【００１８】
勾配磁場電源７は、シーケンサ５から送られた情報に基づいて、勾配コイル２３を駆動する駆動信号を出力する。
【００１９】
受信器８は、コイル装置４で受信された磁気共鳴信号を信号処理し、中央処理装置９に伝送する。
【００２０】
中央処理装置９は、シーケンサ５および表示装置１１に必要な情報を伝送したり、受信器８から受け取った信号に基づいて画像を再構成するなど、ＭＲＩ装置１００の各種の動作を実現するように、ＭＲＩ装置１００の各部の動作を制御する。中央処理装置９は、例えばコンピュータ（computer）によって構成される。
【００２１】
入力装置１０は、オペレータ１３の操作に応じて、種々の命令を中央処理装置９に入力する。表示装置１１は種々の情報を表示する。
【００２２】
ＭＲＩ装置１００は、上記のように構成されている。次に、コイル装置４について説明する。
【００２３】
図２は、コイル装置４の概略図、図３は、受信コイル部４１のブロック図である。
コイル装置４は、複数の受信コイル部４１を有している。
【００２４】
受信コイル部４１は、図３に示すように、コイルエレメント４１ａ、デカップリング回路４１ｂおよび４１ｃ、整流回路４１ｄ、フィルタ回路４１ｅ、および蓄電部４１ｆを有している。
【００２５】
コイルエレメント４１ａは、デカップリング回路４１ｂおよび４１ｃと、整流回路４１ｄとを経由するように形成されたループ形状のコイルエレメントである。図３では、コイルエレメント４１ａは太い実線で示されている。ただし、説明の便宜上、コイルエレメント４１ａのうち、デカップリング回路４１ｂおよび４１ｃを経由するエレメント部分と、整流回路４１ｄを経由するエレメント部分は、図示省略されている。被検体１２から磁気共鳴信号１２ａが発生すると、コイルエレメント４１ａに誘導電流Ｉｅが流れる。コイルエレメント４１ａに誘導電流Ｉｅが流れた場合、誘導電流Ｉｅは、デカップリング回路４１ｃから受信器８へと出力される。したがって、受信コイル部４１は、コイルエレメント４１ａに誘導された誘導電流Ｉｅを、受信器８に出力することができる。
【００２６】
デカップリング回路４１ｂおよび４１ｃは、受信コイル部４１と送信コイル２４（図１参照）との間のカップリングを低減するためのデカップリング動作を実行する回路である。送信コイル２４が送信するＲＦパルス２４ａの強度は、被検体１２から発生する磁気共鳴信号１２ａの強度よりも大きいので、送信コイル２４からＲＦパルス２４ａが送信されると、電磁誘導により、コイルエレメント４１ａに、誘導電流Ｉｅよりも大きな誘導電流Ｉｄが流れる。コイルエレメント４１ａに誘導電流Ｉｄが流れると、デカップリング回路４１ｂおよび４１ｃは、デカップリング動作を実行する。
【００２７】
尚、被検体１２からの磁気共鳴信号１２ａを受信する場合、コイルエレメント４１ａには誘導電流Ｉｅが流れるが、コイルエレメント４１ａに誘導電流Ｉｅが流れても、デカップリング回路４１ｂおよび４１ｃはデカップリング動作を実行しない。また、コイルエレメント４１ａに誘導電流Ｉｅが流れた場合、デカップリング回路４１ｃは、誘導電流Ｉｅを受信器８に出力するための出力部として機能する。
【００２８】
整流回路４１ｄは、送信コイル２４からＲＦパルス２４ａが送信されたときに流れる誘導電流Ｉｄの一部を取り出し、取り出した誘導電流Ｉｄを整流する回路である。コイルエレメント４１ａに誘導電流Ｉｄが流れた場合、整流回路４１ｄは誘導電流Ｉｄを整流し、正の整流電流Ｉrpおよび負の整流電流Ｉrmを出力する。
【００２９】
尚、被検体１２からの磁気共鳴信号１２ａを受信する場合、コイルエレメント４１ａには誘導電流Ｉｅが流れるが、整流回路４１ｄは、コイルエレメント４１ａに誘導電流Ｉｅが流れても、誘導電流Ｉｅを整流する動作は実行しないように構成されている。
【００３０】
フィルタ回路４１ｅは、整流回路４１ｄにより得られた正の整流電流Ｉrpから高周波成分を除去し、高周波成分が除去された正の整流電流Ｉrp′を出力する。また、フィルタ回路４１ｅは、整流回路４１ｄにより得られた負の整流電流Ｉrnから高周波成分を除去し、高周波成分が除去された負の整流電流Ｉrn′を出力する。
【００３１】
蓄電部４１ｆは、高周波成分が除去された正の整流電流Ｉrp′および負の整流電流Ｉrn′を電力として蓄電する。
受信コイル部４１は、上記のように構成されている。
【００３２】
次に、被検体１２を撮影している間の受信コイル部４１の動作について、図４を参照しながら説明する。
【００３３】
図４は、受信コイル部４１の動作の説明図である。図４（ａ）は、ＭＲＩ装置１００が実行するパルスシーケンスの一例を示す図、図４（ｂ）は、蓄電部４１ｆに電力を蓄電するときの受信コイル部４１の動作の説明図、図４（ｃ）は、被検体１２からの磁気共鳴信号１２ａを受信するときの受信コイル部４１の動作の説明図である。
【００３４】
（１）蓄電部４１ｆに電力を蓄電するときの受信コイル部４１の動作について（図４（ａ）および（ｂ）参照）
【００３５】
送信コイル２４からＲＦパルス２４ａが送信されると、電磁誘導により、コイルエレメント４１ａに、大きな誘導電流Ｉｄが流れる（図４（ｂ）参照）。誘導電流Ｉｄが流れると、デカップリング回路４１ｂおよび４１ｃがデカップリング動作を実行するので、受信コイル部４１と送信コイル２４とをデカップリングすることができる。
【００３６】
また、誘導電流Ｉｄの一部は、整流回路４１ｄに流入する。整流回路４１ｄは、誘導電流Ｉｄを整流し、正の整流電流Ｉrpおよび負の整流電流Ｉrnを出力する。
【００３７】
フィルタ回路４１ｅは、正の整流電流Ｉrpおよび負の整流電流Ｉrnから高周波成分を除去する。高周波成分が除去された正の整流電流Ｉrp′および負の整流電流Ｉrn′は、蓄電部４１ｆに蓄電される。
【００３８】
したがって、送信コイル２４からＲＦパルス２４ａが送信されることによって、受信コイル部４１は、蓄電部４１ｆに電力を蓄電することができる。
【００３９】
（２）被検体１２からの磁気共鳴信号１２ａを受信するときの受信コイル部４１の動作について（図４（ａ）および（ｃ）参照）
【００４０】
被検体１２から磁気共鳴信号１２ａが発生すると、電磁誘導により、コイルエレメント４１ａに誘導電流Ｉｅが流れる（図４（ｃ）参照）。ただし、誘導電流Ｉｅが流れても、デカップリング回路４１ｂおよび４１ｃのデカップリング動作は機能せず、更に、整流回路４１ｄの整流動作も機能しない。また、誘導電流Ｉｅが流れた場合、デカップリング回路４１ｃは、誘導電流Ｉｅを受信器８に出力するための出力部として機能する。したがって、誘導電流Ｉｅは、デカップリング回路４１ｃを経由して、受信器８に出力される。受信器８は、受け取った誘導電流Ｉｅに対して所定の信号処理を施し、中央処理装置９（図１参照）に伝送する。中央処理装置９は、受信器８から受け取った信号に基づいて、画像を再構成する。したがって、被検体１２の画像を得ることができる。
【００４１】
上記のように、第１の実施形態では、受信コイル部４１は、ＲＦパルス２４ａの磁気エネルギーを、電気エネルギーに変換し、蓄電部４１ｆに電力として蓄えることができる。蓄電部４１ｆに蓄えた電力は、受信コイル部４１を駆動するときの電力や、
受信コイル部４１以外の別の回路を駆動するときの電力として使用することができるので、ＭＲＩ装置１００が発生する磁気エネルギーの一部を、電気エネルギーとして、有効活用することができる。また、蓄電部４１ｆに蓄えた電力を、種々の回路を駆動するときの電力として使用することができるので、ＭＲＩ装置１００に電力を供給するために使用されるケーブルの本数を少なくすることが可能となる。
【００４２】
また、被検体１２からの磁気共鳴信号１２ａを受信する場合、デカップリング回路４１ｂおよび４１ｃのデカップリング動作は機能せず、更に、整流回路４１ｄの整流動作も機能しない。したがって、被検体１２からの磁気共鳴信号１２ａによってコイルエレメント４１ａに流れる誘導電流Ｉｅの大部分は、デカップリング回路４１ｂおよび４１ｃや整流回路４１ｄで消費されることなく受信器８に出力されるので、画像を再構成することができる。
【００４３】
次に、受信コイル部４１の回路構成の一例を説明する。
図５は、受信コイル部４１の回路図の一例を示す図である。
【００４４】
コイルエレメント４１ａは、キャパシタＣ１〜Ｃ４を有している。キャパシタＣ１〜Ｃ４は、導電線によって接続されている。
【００４５】
デカップリング回路４１ｂは、パッシブ型のデカップリング回路である。デカップリング回路は４１ｂは、キャパシタＣ１、インダクタＬ１１、およびダイオードＤ１１およびＤ１２によって構成されている。
【００４６】
デカップリング回路４１ｃは、アクティブ型のデカップリング回路である。デカップリング回路４１ｃは、キャパシタＣ２およびＣ３、キャパシタＣ２１、インダクタＬ２１およびＬ２２、抵抗Ｒ、ダイオードＤ２１、並びに電流源ＣＳによって構成されている。尚、受信コイル部４１が、被検体１２から磁気共鳴信号１２ａを受信する場合、デカップリング回路４１ｃは、コイルエレメント４１ａに発生した誘導電流Ｉｅを受信器８に出力するための出力部として機能する。
【００４７】
整流回路４１ｄは、コイルエレメント４１ａに誘導された誘導電流Ｉｄを整流し、正の整流電流Ｉrpおよび負の整流電流Ｉrnを出力する。整流回路４１ｄは、２つの整流回路部４１１ｄおよび４１２ｄ（後述する図６および図７参照）を有している。整流回路部４１１ｄおよび４１２ｄについては後述する。整流回路４１ｄは、キャパシタＣ４、キャパシタＣ３１およびＣ４１、インダクタＬ３およびＬ４、ダイオードＤ３１およびＤ３２、ダイオードＤ４１およびＤ４２、並びにツェナーダイオードＺ３１およびＺ４１によって構成されている。
【００４８】
フィルタ回路４１ｅは、第１のフィルタ回路部４１１ｅおよび第２のフィルタ回路部４１２ｅを有している。
【００４９】
第１のフィルタ回路部４１１ｅは、整流回路４１ｄから出力された正の整流電流Ｉrpに含まれる高周波成分を除去するための高周波除去フィルタである。第１のフィルタ回路部４１１ｅは、キャパシタとインダクタとの並列回路Ｐ５１およびＰ５２により構成されている。
【００５０】
第２のフィルタ回路部４１２ｅは、整流回路４１ｄから出力された負の整流電流Ｉrnに含まれる高周波成分を除去するための高周波除去フィルタである。第２のフィルタ回路部４１２ｅは、キャパシタとインダクタとの並列回路Ｐ６１およびＰ６２により構成されている。
【００５１】
蓄電部４１ｆは、２つの蓄電用キャパシタＣ７およびＣ８を有している。蓄電用キャパシタＣ７は、第１のフィルタ回路部４１１ｅにより高周波成分が除去された整流電流Ｉrp′を電力として蓄電する。蓄電用キャパシタＣ８は、第２のフィルタ回路部４１２ｅにより高周波成分が除去された整流電流Ｉrn′を電力として蓄電する。
【００５２】
受信コイル部４１のデカップリング回路４１ｂおよび４１ｃ、整流回路４１ｄ、フィルタ回路４１ｅ、並びに蓄電部４１ｆは、上記のように構成されている。
【００５３】
受信コイル部４１は、２つの蓄電用キャパシタＣ７およびＣ８に電力を蓄電する。以下に、蓄電用キャパシタＣ７に電力を蓄電するときの受信コイル部４１の動作、蓄電用キャパシタＣ８に電力を蓄電するときの受信コイル部４１の動作について、順に説明する。
【００５４】
（１）蓄電用キャパシタＣ７に電力を蓄電するときの受信コイル部４１の動作
図６は、蓄電用キャパシタＣ７に電力を蓄電するときの受信コイルの動作の説明図である。
【００５５】
図６では、整流回路４１ｄおよびフィルタ回路４１ｅについては、蓄電用キャパシタＣ７に電力を蓄電するときの動作に関係する回路部分を太線で示してある。蓄電用キャパシタＣ７に電力を蓄電する場合、整流回路４１ｄの中の第１の整流回路部４１１ｄと、フィルタ回路４１ｅの中の第１のフィルタ回路部４１１ｅが、蓄電用キャパシタＣ７に電力を蓄電するときの動作に関係している。以下に、蓄電用キャパシタＣ７に電力がどのようにして蓄電されるかについて、図６を参照しながら説明する。
【００５６】
送信コイル２４からＲＦパルス２４ａが送信されると、電磁誘導により、コイルエレメント４１ａに、誘導電流Ｉｄが流れる。誘導電流Ｉｄによって、パッシブ型のデカップリング回路４１ｂでは、ダイオードＤ１１およびＤ１２がオンとなる。一方、アクティブ型のデカップリング回路４１ｃでは、電流源ＣＳの動作によって、ダイオードＤ２１がオンとなる。したがって、デカップリング回路４１ｂおよび４１ｃがデカップリング動作を行い、受信コイル部４１と送信コイル２４とをデカップリングすることができる。
【００５７】
また、コイルエレメント４１ａに誘導電流Ｉｄが流れると、整流回路４１ｄの第１の整流回路部４１１ｄのダイオードＤ３１およびＤ３２がオンとなる。ダイオードＤ３１およびＤ３２がオンになると、第１の整流回路部４１１ｄは、誘導電流Ｉｄを整流し、誘導電流Ｉｄの正の部分を取り出す。取り出された正の整流電流Ｉrpは、フィルタ回路４１ｅの中の第１のフィルタ回路部４１１ｅでフィルタ処理される。
【００５８】
第１のフィルタ回路部４１１ｅは、正の整流電流Ｉrpから高周波成分を取り除く。そして、高周波成分が取り除かれた後の正の整流電流Ｉrp′が、蓄電用キャパシタＣ７に蓄電される。
【００５９】
図７は、蓄電用キャパシタＣ８に電力を蓄電するときの受信コイルの動作の説明図である。
【００６０】
図７では、整流回路４１ｄおよびフィルタ回路４１ｅについては、蓄電用キャパシタＣ８に電力を蓄電するときの動作に関係する回路部分を太線で示してある。蓄電用キャパシタＣ８に電力を蓄電する場合、整流回路４１ｄの中の第２の整流回路部４１２ｄと、フィルタ回路４１ｅの中の第２のフィルタ回路部４１２ｅが、蓄電用キャパシタＣ８に電力を蓄電するときの動作に関係している。以下に、蓄電用キャパシタＣ８に電力がどのようにして蓄電されるかについて、図７を参照しながら説明する。
【００６１】
送信コイル２４からＲＦパルス２４ａが送信されると、電磁誘導により、コイルエレメント４１ａに、誘導電流Ｉｄが流れる。誘導電流Ｉｄによって、パッシブ型のデカップリング回路４１ｂでは、ダイオードＤ１１およびＤ１２がオンとなる。一方、アクティブ型のデカップリング回路４１ｃでは、電流源ＣＳの動作によって、ダイオードＤ２１がオンとなる。したがって、デカップリング回路４１ｂおよび４１ｃがデカップリング動作を行い、受信コイル部４１と送信コイル２４とをデカップリングすることができる。
【００６２】
また、コイルエレメント４１ａに誘導電流Ｉｄが流れると、整流回路４１ｄの第２の整流回路部４１２ｄのダイオードＤ４１およびＤ４２がオンとなる。ダイオードＤ４１およびＤ４２がオンになると、第２の整流回路部４１２ｄは、誘導電流Ｉｄを整流し、誘導電流Ｉｄの負の部分を取り出す。取り出された負の整流電流Ｉrnは、フィルタ回路４１ｅの中の第２のフィルタ回路部４１２ｅでフィルタ処理される。
【００６３】
第２のフィルタ回路部４１２ｅは、負の整流電流Ｉrnから高周波成分を取り除く。そして、高周波成分が取り除かれた後の負の整流電流Ｉrn′が、蓄電用キャパシタＣ８に蓄電される。
【００６４】
したがって、図５に示すような回路構成によって、ＭＲＩ装置１００が発生する磁気エネルギーの一部を、電気エネルギーに変換し、蓄電用キャパシタＣ７およびＣ８に電力として蓄えることができる。蓄電用キャパシタＣ７およびＣ８に蓄えた電力は、受信コイル部４１を駆動するときの電力や、受信コイル部４１以外の別の回路を駆動するときの電力として使用することができるので、ＭＲＩ装置１００が発生する磁気エネルギーの一部を、電気エネルギーとして、有効活用することができる。また、蓄電用キャパシタＣ７およびＣ８に蓄えた電力を、種々の回路を駆動するときの電力として使用することができるので、ＭＲＩ装置１００に電力を供給するために使用されるケーブルの本数を少なくすることが可能となる。
【００６５】
また、被検体１２から磁気共鳴信号１２ａを受信する場合、受信コイル部４１は、以下のように動作する。
【００６６】
図８は、被検体１２から磁気共鳴信号１２ａを受信するときの受信コイル部４１の動作の説明図である。
【００６７】
被検体１２から磁気共鳴信号１２ａを受信すると、コイルエレメント４１ａには、誘導電流Ｉｅが流れる。しかし、誘導電流Ｉｅは小さい電流であるので、パッシブ型のデカップリング回路４１ｂのダイオードＤ１１およびＤ１２はオンにならない。また、アクティブ型のデカップリング回路４１ｃでは、ダイオードＤ２１をオフにする。したがって、デカップリング回路４１ｂおよび４１ｃのデカップリング動作は機能しない。また、誘導電流Ｉｅは小さい電流であるので、整流回路４１ｄのダイオードＤ３１、Ｄ３２、Ｄ４１、およびＤ４２もオンにならない。したがって、コイルエレメント４１ａに流れる誘導電流Ｉｄの大部分は、デカップリング回路４１ｃから受信器８に出力されるので、被検体１２のＭＲ画像を得ることができる。
【００６８】
尚、受信コイル部４１の回路構成は、図５に示す構成に限定されることはなく、種々の変形が可能である（図９参照）。
図９は、図５とは別の回路構成の受信コイル部を示す図である。
【００６９】
図９に示す回路構成は、図５に示す回路構成と比較すると、フィルタ回路４１ｅが異なっているが、その他の回路構成は、図５に示す回路構成と同じであるので、図９に示す回路構成の説明に当たっては、フィルタ回路４１ｅについてのみ説明する。
【００７０】
フィルタ回路４１ｅは、第１のフィルタ回路部４１１ｅおよび第２のフィルタ回路部４１２ｅを有している。
【００７１】
第１のフィルタ回路部４１１ｅは、２つの並列回路Ｐ５１およびＰ５２の他に、インダクタＬ５１、キャパシタＣ５、およびインダクタＬ５２を有している。２つの並列回路Ｐ５１およびＰ５２は、整流電流Ｉrpから高周波成分を除去するための高周波除去フィルタを構成している。また、インダクタＬ５１、キャパシタＣ５、およびインダクタＬ５２の組合せは、ローパスフィルタを構成している。
【００７２】
第２のフィルタ回路部４１２ｅは、２つの並列回路Ｐ６１およびＰ６２の他に、インダクタＬ６１、キャパシタＣ６、およびインダクタＬ６２を有している。２つの並列回路Ｐ６１およびＰ６２は、整流電流Ｉrnから高周波成分を除去するための高周波除去フィルタを構成している。また、インダクタＬ６１、キャパシタＣ６、およびインダクタＬ６２の組合せは、ローパスフィルタを構成している。
【００７３】
図９に示す回路構成によれば、第１のフィルタ回路部４１１ｅおよび第２のフィルタ回路部４１２ｅは、高周波除去フィルタの他に、ローパスフィルタを有している。したがって、電力をより効率的に蓄電用キャパシタＣ７およびＣ８に蓄電することができる。
【００７４】
尚、上記の説明では、受信コイル部４１は、２つのデカップリング回路を有しているが、デカップリング回路は、３つ以上備えてもよいし、１つのみ備えてもよい。
【００７５】
（２）第２の形態
第１の形態では、正の整流電流Ｉrpおよび負の整流電流Ｉrnを出力する整流回路４１ｄを備えた受信コイル部４１について説明されているが（図３参照）、第２の実施形態では、正の整流電流のみを出力する整流回路を備えた受信コイル部について説明する。
【００７６】
図１０は、第２の形態における受信コイル部４１のブロック図を示す。
受信コイル部４１′は、コイルエレメント４１ａ、デカップリング回路４１ｂおよび４１ｃ、整流回路４１ｄ′、フィルタ回路４１ｅ′、並びに蓄電部４１ｆ′を有している。尚、コイルエレメント４１ａと、デカップリング回路４１ｂおよび４１ｃについては、第１の形態と同じである。したがって、第２の形態の受信コイル部４１の説明に当たっては、整流回路４１ｄ′、フィルタ回路４１ｅ′、および蓄電部４１ｆ′について説明する。
【００７７】
整流回路４１ｄ′は、誘導電流Ｉｄを全波整流し、正の整流電流Ｉｒを出力する。フィルタ回路４１ｅ′は、正の整流電流Ｉｒから高周波成分を除去し、高周波成分が除去された整流電流Ｉｒ′を出力する。蓄電部４１ｆ′は、高周波成分が除去された整流電流Ｉｒ′を電力として蓄電する。
【００７８】
図１０に示すように、正の整流電流のみを出力する整流回路４１ｄ′を備えてもよい。更に、整流回路４１ｄ′の代わりに、負の整流電流のみを出力する整流回路を備えてもよい。
【符号の説明】
【００７９】
２  磁場発生装置
３  テーブル
４  コイル装置
５  シーケンサ
６  送信器
７  勾配磁場電源
８  受信器
９  中央処理装置
１０  入力装置
１１  表示装置
１２  被検体
１３  オペレータ
２１  ボア
２２  超伝導コイル
２３  勾配コイル
２４  送信コイル
３１  クレードル
４１  受信コイル部
４１ａ  コイルエレメント
４１ｂ、４１ｃ  デカップリング回路
４１ｄ  整流回路
４１ｅ  フィルタ回路
４１ｆ  蓄電部
【図１】
0005528266.tif 000002
【図２】
0005528266.tif 000003
【図３】
0005528266.tif 000004
【図４】
0005528266.tif 000005
【図５】
0005528266.tif 000006
【図６】
0005528266.tif 000007
【図７】
0005528266.tif 000008
【図８】
0005528266.tif 000009
【図９】
0005528266.tif 000010
【図１０】
0005528266.tif 000011